(57)【要約】【課題】電源オンから表示開始までの起動時間を短縮できる電子機器、表示方法及びプログラムを提供すること。【解決手段】実施形態によれば、電子機器は、表示部に接続可能であり、テレビ放送を受信して映像信号を出力するテレビジョン受信部を具備し、商用電源に接続されるとテレビジョン受信部の少なくとも一部を起動し、電源オンを検出するとテレビジョン受信装部から表示部への映像信号出力を開始する。【選択図】図７
2014216785.tif 000002
【特許請求の範囲】
【請求項１】
表示部に接続可能であり、テレビ放送を受信して映像信号を出力するテレビジョン受信部を具備する電子機器において、
商用電源に接続されると前記テレビジョン受信部の少なくとも一部を起動し、電源オンを検出すると前記テレビジョン受信部から前記表示部への映像信号出力を開始する電子機器。
【請求項２】
動作モードを選択的に設定可能であり、
第１の動作モードが選択される場合、商用電源に接続されると前記テレビジョン受信部の少なくとも一部を起動し、電源オンを検出すると前記テレビジョン受信部から前記表示部への映像信号出力を開始する請求項１記載の電子機器。
【請求項３】
第１の動作モードが選択されていない場合、商用電源に接続されても前記テレビジョン受信部を起動せずに、電源オンを検出すると前記テレビジョン受信部を起動する請求項２記載の電子機器。
【請求項４】
ユーザが動作モードを選択可能なメニュー画面を表示する手段を具備する請求項２記載の電子機器。
【請求項５】
商用電源に接続されると起動される前記テレビジョン受信部の少なくとも一部は前記テレビジョン受信部のＯＳである請求項１記載の電子機器。
【請求項６】
商用電源に接続されると起動される前記テレビジョン受信部の少なくとも一部は前記テレビジョン受信部のＯＳとデコーダであり、前記デコーダから前記表示部への映像信号出力は電源オンを検出するまで一時停止される請求項５記載の電子機器。
【請求項７】
前記テレビジョン受信部のデコーダは、商用電源に接続されると第１の消費電力で動作し、電源オンを検出すると第２の消費電力で動作し、第１の消費電力は第２の消費電力より少ない請求項６記載の電子機器。
【請求項８】
前記テレビジョン受信部のデコーダは、商用電源に接続されると第１の画質で動作し、電源オンを検出すると第２の画質で動作し、第２の画質は第１の画質より高画質である請求項７記載の電子機器。
【請求項９】
表示部に接続可能であり、テレビ放送を受信して映像信号を出力するテレビジョン受信部を具備する電子機器の表示方法において、
電子機器が商用電源に接続されると前記テレビジョン受信部の少なくとも一部を起動し、
電子機器の電源オンを検出すると前記テレビジョン受信部から前記表示部への映像信号出力を開始する表示方法。
【請求項１０】
コンピュータにより実行されるプログラムであって、前記プログラムは前記コンピュータに
テレビ放送を受信して映像信号を出力するテレビジョン受信部が商用電源に接続されると、テレビジョン受信部の少なくとも一部を起動するステップと、
電源オンを検出すると前記テレビジョン受信部から表示部への映像信号出力を開始するステップとを実行させるためのプログラム。
【発明の詳細な説明】
【技術分野】
【０００１】
本発明の実施形態はテレビジョン放送を表示する電子機器、表示方法及びプログラムに関する。
【背景技術】
【０００２】
従来、パーソナルコンピュータ（ＰＣ）等の電子機器には、テレビ放送を視聴するための機能（テレビ機能）が搭載されている。電子機器には、テレビチューナが実装されると共に、テレビ視聴用のアプリケーション（テレビアプリケーション）がインストールされる。テレビアプリケーションは、ＯＳ（Operating System）に制御のもとで動作し、テレビチューナによって受信される映像をディスプレイに表示させると共に音声をスピーカ等から出力する。
【０００３】
このように、テレビ機能を搭載しているＰＣ等の電子機器は、テレビ放送を視聴するためにはＯＳを起動する必要があるので、テレビジョン受信装置に比べて、電源オンから映像がディスプレイに表示開始するまでの起動時間が長い。
【先行技術文献】
【特許文献】
【０００４】
【特許文献１】特開２００７−１６６４８１号公報
【特許文献２】特開２０１２−１３８７４９号公報
【発明の概要】
【発明が解決しようとする課題】
【０００５】
従来のテレビ機能を搭載している電子機器は、電源オンしてからテレビ映像がディスプレイに表示されるまでに起動時間が必要であり、電源オンして直ぐにテレビ放送を視聴できない。
【０００６】
本発明の目的は、電源オンから表示開始までの起動時間を短縮できる電子機器、表示方法及びプログラムを提供することである。
【課題を解決するための手段】
【０００７】
実施形態によれば、電子機器は、表示部に接続可能であり、テレビ放送を受信して映像信号を出力するテレビジョン受信部を具備し、商用電源に接続されるとテレビジョン受信部の少なくとも一部を起動し、電源オンを検出するとテレビジョン受信部から表示部への映像信号出力を開始する。
【図面の簡単な説明】
【０００８】
【図１】実施形態の電子機器の外観構成の一例を示す図。
【図２】実施形態におけるリモートコントローラに配置されたボタンの一例を示す図。
【図３】実施形態におけるＰＣのシステム構成の一例を示す図。
【図４】実施形態におけるテレビチューナ７４のシステム構成の一例を示す図。
【図５】実施形態におけるテレビチューナ７６のシステム構成の一例を示す図。
【図６】実施形態におけるメニュー項目の一例を示す図。
【図７】実施形態の動作の一例を示すフローチャート。
【発明を実施するための形態】
【０００９】
図１は、実施形態に係る電子機器の外観構成を示す図である。電子機器は、例えば、ノートブック型のＰＣ、デスクトップ型のＰＣ、タブレット端末、またはＯＳの制御の下で動作する他の各種の電子機器として実現することができる。以下の説明では、電子機器は、デスクトップ型のＰＣとして実現されている。
【００１０】
説明の便宜上、図１では、デスクトップ型のＰＣはＰＣ本体がディスプレイの筐体内に組み込まれている一体型として示すが、ＰＣ本体がディスプレイとは別体であるデスクトップ型のＰＣとしても実現可能である。電子機器は、主に、ディスプレイ本体１０と、キーボード１２と、リモートコントローラ１４、マウス１６とからなる。ディスプレイ本体１０は、その背面に設けられた電源コネクタに接続されたＡＣアダプタ、電源コードを介して商用電源に接続される。図１の例では、キーボード１２、リモートコントローラ１４、マウス１６はそれぞれ電池を内蔵し、電池で駆動される。ディスプレイ本体１０はキーボード１２、マウス１６とはブルートゥース（登録商標）により無線で接続される。しかし、キーボード１２、マウス１６はケーブルを介してディスプレイ本体１０に接続されていてもよい。
【００１１】
ディスプレイ本体１０は、前面にＬＣＤ（液晶）パネル２０が配置され、前面の右下部分に電源ボタン２２、受光ユニット２３が設けられる。電源ボタン２２はＰＣの電源をオン／オフする。受光ユニット２３は、リモートコントローラ１４からの赤外線リモコン信号を受信する。ディスプレイ本体１０の下部にはスピーカが設けられる。ディスプレイ本体１０の左側面には、各種の操作ボタン２４、端子２６が設けられる。操作ボタン２４は、例えば、画面オフボタン、入力切換ボタン、音量ボタン等を含む。画面オフボタンが押されると、ＰＣ機能あるいはＴＶ機能はそのまま実行状態を続け、画面表示だけが停止する。この状態で、画面オフボタンが再度押されると、画面表示が再開する。端子２６は、例えば、ヘッドホン出力端子、マイク入力端子、メディアスロット、ＵＳＢコネクタ等を含む。ディスプレイ本体１０の右側面には、ＤＶＤ、ＢＤ等の光ディスクドライブ（ＯＤＤ）が内蔵される。ディスプレイ本体１０の上部には無線ＬＡＮアンテナ、ブルートゥース（登録商標）アンテナが内蔵される。ディスプレイ本体１０の背面には、各種の端子が設けられている。各種の端子は、上述した電源コネクタ以外に、例えば、ＵＳＢコネクタ、ＨＤＭＩ（High-Definition Multimedia Interface）（登録商標）入力端子、アンテナ入力端子、ＬＡＮコネクタ等を含む。例えば、ＵＳＢコネクタにはＵＳＢハードディスクが接続され、ＨＤＭＩ入力端子にはゲーム機やＡＶ機器等の外部映像機器からの映像信号がＨＤＭＩケーブルを介して入力され、アンテナ入力端子には図示しないＴＶアンテナからの放送信号が入力される。
【００１２】
キーボード１２にも電源ボタン２８が設けられる。電源ボタン２２、２８が押されると、電源が投入され、ＯＳが起動する。電源ボタン２２、２８は、ボタン表面に可変色のＬＥＤのインジケータが埋め込まれており、点灯色で電源やディスプレイの状態を示す。例えば、白色の点灯は電源オン、オレンジ色の点灯は電源オフ（電源コードとＡＣアダプタの接続時）、または休止状態、オレンジ色の点滅はスリープ中、青色の点灯はディスプレイオフ（電源コードとＡＣアダプタの接続時）、赤色の点灯はテレビ番組の録画中、消灯は電源コードとＡＣアダプタを接続していない状態を表す。
【００１３】
リモートコントローラ１４はテレビ放送の視聴の便宜のために設けられ、例えば、図２に示すようなボタンが配置されている。例えば、リモートコントローラ１４には、ＰＣ電源ボタン３２、テレビ電源ボタン３４、チャンネル番号ボタン３６、チャンネル変更ボタン３８、音量ボタン４０、方向ボタン４２、決定ボタン４４、マルチボタン４６、その他の各種のボタンが設けられている。ＰＣ電源ボタン３２は電源ボタン２２、２６と同様に機能し、ＰＣ電源ボタン３２が押されると、電源が投入され、ＯＳが起動し、ＰＣとして動作する。ただし、電源ボタン３２のボタン表面にはＬＥＤのインジケータは埋め込まれていない。テレビ電源ボタン３４が押される（テレビ電源のオンが指示される）と、テレビ機能がオンされ、テレビジョン受信機として動作し、テレビ放送番組がＬＣＤパネル２０で表示される。この状態で、テレビ電源ボタン３４が押される（テレビ電源のオフが指示される）と、テレビ機能がオフされ、ＬＣＤパネル２０上のテレビ放送番組の表示が終了する。このように、本機器はＰＣ機能とＴＶ機能とを有し、ＰＣ機能は電源ボタン２２、２６、ＰＣ電源ボタン３２の操作により起動し、ＴＶ機能はテレビ電源ボタン３４の操作により起動する。なお、両機能を同時に起動し、ＰＣ画面とＴＶ画面を同時に表示しても良い。
【００１４】
方向ボタン４２は上下左右の４箇所を押すことができ、押した位置に応じてカーソルを画面内の上下左右のいずれかにシフトさせることができる。シフトとは最小単位の移動を表し、メニュー内の隣のボタン、電子番組表の隣の番組枠に移動すること等である。マルチボタン４６は上下左右に加えて斜めの計８箇所を押すことができ、上下左右のいずれかを押すと、「番組説明」、「ワンタッチスキップ」、「予約リスト」、「ワンタッチリプレイ」の４つのキーと等価のキー操作ができるとともに、カーソルの表示中に上下左右のいずれかを押すと、カーソルを上下左右方向にジャンプさせることができる。斜めを押すと、「録画リスト」、「番組表」、「終了」、「戻る」の４つのキーと等価のキー操作ができる。ジャンプとはシフトよりも大きい単位でカーソルを移動することや、画面を他のページに切換えること等を意味する。そのため、カーソルジャンプとページ切換えは同義で使われる。
【００１５】
図３は、デスクトップ型のＰＣの実施形態におけるシステム構成の一例を示している。ＰＣは、主に、ＣＰＵ５２、システムコントローラ５４、メインメモリ５６、グラフィクスプロセッシングユニット（ＧＰＵ）５８、サウンドコーデック６０、ＢＩＯＳ−ＲＯＭ６２、ハードディスクドライブ（ＨＤＤ）６４、光ディスクドライブ（ＯＤＤ）６６、ＨＤＭＩ制御回路６８、ブルートゥース（登録商標）制御回路７０、無線ＬＡＮ制御回路７２、ＵＳＢコネクタ７３、テレビチューナ７４、インスタントテレビチューナ７６、エンベデッドコントローラ／キーボードコントローラＩＣ（ＥＣ／ＫＢＣ）７８、電源コントローラ（ＰＳＣ）８０、電源回路８１等を備えている。
【００１６】
ＣＰＵ５２は、ＰＣの各コンポーネントの動作を制御するプロセッサである。ＣＰＵ５２は、ＨＤＤ６４からメインメモリ５６にロードされる各種プログラムを実行する。各種プログラムは、オペレーティングシステム（ＯＳ）８２及び各種アプリケーションプログラムを含む。各種アプリケーションプログラムは、例えば、テレビアプリケーションプログラム８３を含む。テレビアプリケーションプログラム８３は、テレビチューナ７４によって受信されるテレビ放送（コンテンツ）を視聴するためのプログラムであって、ディスプレイ（ＬＣＤパネル２０）にテレビ番組の映像を表示させると共に、サウンドコーデック６０を介してスピーカ８４Ａ，８４Ｂ、あるいはヘッドフォン８６から音声を出力させる。テレビアプリケーションプログラム８３は、番組表データ（ＥＰＧ（Electronic Program Guide）データ）をもとに番組表を表示する機能、テレビ視聴に関する各種設定画面を表示してユーザ操作を受け付ける機能なども提供する。サウンドコーデック６０にはマイク８８も接続される。
【００１７】
テレビチューナ７４はシステムコントローラ５４に接続されており、ＯＳ８２が起動しないと動作しない、従来のＰＣ内蔵のテレビチューナである。テレビチューナ７４はテレビアプリケーションプログラム８３により機能が実現される。本実施形態では、ＥＣ／ＫＢＣ７８に接続されたインスタントテレビチューナ７６をさらに備える。インスタントテレビチューナ７６は、その機能はハードウェアで実現されるので、ＯＳ起動前でも動作させることができ、ＴＶ電源ボタン３４を押す前にインスタントテレビチューナ７６を起動しておくことにより、ＴＶ電源ボタン３４が押されてから、映像が表示されるまでの時間を短縮することができる。
【００１８】
なお、テレビチューナ７４とインスタントテレビチューナ７６の機能は同じでも良いが、同じにする必要は無い。インスタントテレビチューナ７６は待機電力を極力増やさないで、ＴＶの起動を出来るだけ高速化するものであるので、インスタントテレビチューナ７６の機能はテレビチューナ７４よりも少ないことがある。例えば、この実施形態では、テレビチューナ７４は、地上波デジタル、ＢＳデジタル、１１０度ＣＳデジタル放送対応のＴＶチューナを各２つ備えるとともに、録画機能、ＥＰＧ表示機能を備える。しかし、インスタントテレビチューナ７６は、地上波デジタル放送対応のＴＶチューナを１つしか備えていない。また、録画機能、ＥＰＧ表示機能は、インスタントテレビチューナ７６には備えられていない。
【００１９】
ＣＰＵ５２は、不揮発性メモリであるＢＩＯＳ−ＲＯＭ６２に格納される基本入出力システム（ＢＩＯＳ）も実行する。ＢＩＯＳはハードウェア制御のためのシステムプログラムである。ＢＩＯＳは、リモートコントローラ１４のボタン操作によって発生するイベントに応じた制御をする。
【００２０】
ＧＰＵ５８は、ＰＣのディスプレイモニタとして使用されるＬＣＤパネル２０を制御する表示コントローラである。ＧＰＵ５８は、ビデオメモリ（ＶＲＡＭ）９０に格納される表示データからＬＣＤパネル２０に供給すべき表示信号（例えば、ＬＶＤＳ（Low voltage differential Signaling）信号）を生成する。ＨＤＭＩ入力端子９２は、ＨＤＭＩ制御回路６８に接続され、外部機器からのＨＤＭＩビデオ信号（非圧縮のデジタル映像信号）と、デジタルオーディオ信号とを一本のケーブルで入力することができる。
【００２１】
システムコントローラ５４は、ＣＰＵ５２と各コンポーネントとの間を接続するブリッジデバイスである。システムコントローラ５４は、ハードディスクドライブ（ＨＤＤ）６４及び光ディスクドライブ（ＯＤＤ）６６を制御するためのシリアルＡＴＡコントローラを内蔵している。
【００２２】
また、システムコントローラ５４には、ブルートゥース（登録商標）制御回路７０、ＵＳＢコネクタ７３、無線ＬＡＮ制御回路７２、テレビチューナ７４等のデバイスが接続される。ブルートゥース（登録商標）制御回路７０はキーボード１２、マウス１６からの無線信号を受信する。
【００２３】
テレビチューナ７４は、テレビ放送受信用のアンテナが接続される。テレビチューナ７４は、アンテナを通じて、テレビ放送電波を受信して、テレビ放送信号を出力する。
【００２４】
さらに、システムコントローラ５４は、バスを介して接続される各デバイスとの通信を実行する。
【００２５】
ＥＣ／ＫＢＣ７８は、バスを介して、システムコントローラ５４と接続されている。また、ＥＣ／ＫＢＣ７８は、シリアルバスを介して、電源コントローラ（ＰＳＣ）８０、電源回路８１と相互に接続されている。
【００２６】
ＥＣ／ＫＢＣ７８には、インスタントテレビチューナ７６も接続される。インスタントテレビチューナ７６の出力（ＬＶＤＳ信号）は、ＬＣＤパネル２０、スピーカ８４Ａ、８４Ｂ、ヘッドフォン８６に供給される。
【００２７】
ＥＣ／ＫＢＣ７８には、リモートコントローラ１４から出力される赤外線信号を受信する受光ユニット２３が接続される。
【００２８】
ＥＣ／ＫＢＣ７８は、ＰＣの電力管理を実行するための電力管理コントローラである。ＥＣ／ＫＢＣ７８は、ユーザによる電源スイッチ２２、２６、３２の操作に応じてＰＣをパワーオン及びパワーオフする機能を有している。ＰＣのパワーオン及びパワーオフの制御は、ＥＣ／ＫＢＣ７８と電源コントローラ（ＰＳＣ）８０との協働動作によって実行される。
【００２９】
電源コントローラ（ＰＳＣ）８０は、ＥＣ／ＫＢＣ７８から送信されるオン信号を受けると、電源回路８１を制御して、ＰＣをパワーオンする。また、電源コントローラ（ＰＳＣ）８０は、ＥＣ／ＫＢＣ７８から送信されるオフ信号を受けると、電源回路８１を制御してＰＣをパワーオフする。
【００３０】
電源回路８１は、ＡＣアダプタ９４からの電力を用いて、各コンポーネントへ供給すべき電力（動作電源）を生成する。
【００３１】
図４は、テレビチューナ７４の構成の一例を示す。上述したように、テレビチューナ７４はＢＳデジタル放送対応のＴＶチューナ１１０Ａ、１１０Ｂと、１１０度ＣＳデジタル放送対応のＴＶチューナ１１０Ｃ、１１０Ｄと、地上波デジタル放送対応のＴＶチューナ１１０Ｅ、１１０Ｆを有する。ＢＳ／ＣＳデジタル放送受信用のアンテナ１０２で受信した衛星デジタル放送信号は、入力端子１０４を介して衛星デジタル放送用のＴＶチューナ１１０Ａ、１１０Ｂ、１１０Ｃ、１１０Ｄに供給されることにより、所望のチャンネルの放送信号が選局される。地上波デジタル放送受信用のアンテナ１０６で受信した地上波デジタル放送信号は、入力端子１０８を介して地上波デジタル放送用のＴＶチューナ１１０Ｅ、１１０Ｆに供給されることにより、所望のチャンネルの放送信号が選局される。各放送信号を２つのチューナで選局可能なため、同一時間帯の二つの番組を同時録画できる。
【００３２】
チューナ部１１０で選局された放送信号は、復調・復号モジュール１１２に供給されてデジタルの映像信号及び音声信号等に復元された後、信号処理モジュール１１４に出力される。信号処理モジュール１１４は、復調・復号モジュール１１２から供給されたデジタルの映像信号及び音声信号に対してそれぞれ所定のデジタル信号処理を施す。
【００３３】
信号処理モジュール１１４は、デジタルの映像信号を合成処理モジュール１１８に出力し、デジタルの音声信号を音声処理モジュール１１６に出力している。合成処理モジュール１１８は、信号処理モジュール１１４から供給されるデジタルの映像信号に、ＯＳＤ（on screen display）信号を重畳して映像処理モジュール１２０に出力している。
【００３４】
映像処理モジュール１２０は、入力されたデジタルの映像信号を、後段の表示部（ＬＣＤパネル２０）で表示可能なフォーマットに変換している。映像処理モジュール１２０では、超解像処理や動画改善処理を含めて様々な画質処理が行われる。映像処理モジュール１２０から出力された映像信号が、システムコントローラ５４に供給されて映像表示に供される。
【００３５】
音声処理モジュール１１６は、入力されたデジタルの音声信号を、後段のスピーカ８４Ａ、８４Ｂで再生可能なフォーマットの音声信号に変換している。音声処理モジュール１１６から出力された音声信号が、システムコントローラ５４に供給されて音声再生に供される。
【００３６】
テレビジョンチューナ７４は、上記した各種の受信動作や選局動作を含む全ての動作が制御モジュール１２２によって統括的に制御されている。制御モジュール１２２はシステムコントローラ５４により制御されている。制御モジュール１２２は、ＣＰＵ（central processing unit）１２４を内蔵しており、ディスプレイ本体１０に設置された操作ボタンからの操作信号を受けて、または、リモートコントローラ１４から送出され受光ユニット２３で受信した操作信号を受けて、その操作内容が反映されるように各コンポーネントをそれぞれ制御している。
【００３７】
制御モジュール１２２は各コンポーネントを制御する際にメモリを利用している。メモリは、主として、ＣＰＵ１２４が実行する制御プログラムを格納したＲＯＭ（read only memory）１２６と、ＣＰＵ１２４に作業エリアを提供するためのＲＡＭ（random access memory）１２８と、各種の設定情報及び制御情報等が格納されるフラッシュメモリ１３０を含む。フラッシュメモリ１３０には、例えば番組情報・登録された録画予約情報・各種メニューを表示するためのデータも記録される。
【００３８】
制御モジュール１２２は録画制御モジュール１３２が含まれる。録画制御モジュール１３２は、チューナ部１１０で選局された番組の録画を制御する。番組等のコンテンツデータは、所定の記録媒体に記録される。例えば、制御モジュール１２２には、ＵＳＢコネクタ７３を介して外付けのＨＤＤが接続されていてもよい。あるいは、ＨＤＭＩ等のインターフェースで外部接続されたＨＤＤレコーダ等が接続されていてもよい。録画制御モジュール１３２は、リモートコントローラ１４の操作等に基づいて、復調・復号モジュール１１２から得られるデジタルの映像信号及び音声信号を記録媒体に記録させるように制御する。
【００３９】
録画制御モジュール１３２は、リモートコントローラ１４の操作等に応じて入力された録画予約情報をフラッシュメモリ１３０に登録する。録画制御モジュール１３２は、登録された録画予約情報に基づいて、目的の番組が放送開始となれば、当該番組の録画が実行されるよう制御する。また、録画制御モジュール１３２は記録媒体に記録された番組を再生する制御も行う。
【００４０】
リモートコントローラ１４の方向ボタン等を用いて、ＥＰＧ上でカーソルを操作することや決定操作等のユーザ操作が行われることで、録画制御モジュール１３２は各番組の録画予約の登録や録画の実行を制御する。録画予約された番組に対しては、録画予約設定されたことを示すインジケータが表示される。また、録画実行されている番組に対して同様のインジケータ（録画実行中を示すインジケータ）を表示するようにしてもよい。
【００４１】
制御モジュール１２２は、検出モジュール１３４を含む。検出モジュール１３４は、録画予約された番組の放送開始前（実際の録画実行前）の所定期間に、同じ番組に対して重複した録画予約（重複録画予約と称する）が登録されているか否かを検出する。検出モジュール１３４は、録画予約の登録操作時にも重複録画予約を検出する。録画制御モジュール１３２は、検出モジュール１３４の検出結果に基づいて、同じ番組の重複した録画が実行されないよう制御する。
【００４２】
制御モジュール１２２は、番組表モジュール１３６を含む。番組表モジュール１３６は、アンテナ１０２、１０６で受信した放送波に含まれる電子番組表（ＥＰＧ）情報を基にＥＰＧを作成する。ＥＰＧを構成するチャンネルや番組タイトルなどの番組情報はフラッシュメモリ１３０に記憶される。
【００４３】
制御モジュール１２２は、表示制御モジュール１３８を含む。表示制御モジュール１３８は、録画制御モジュール１３２が検出モジュール１３４の制御に基づいて同じ番組の重複録画が実行されないよう制御した場合に、その旨をユーザに示すメニューを表示するよう制御する。また、ユーザが録画予約を登録しようする際であって、検出モジュール１３４が既に同じ番組について録画予約が登録されていることを検出した場合、表示制御モジュール１３８は、既に同じ番組について録画予約が登録されている旨をユーザに示すメニューを表示するよう制御する。また、表示制御モジュール１３８の制御に基づいて各種メニューなどのＧＵＩ（Graphical User Interface）が表示される。
【００４４】
録画制御モジュール１３２、検出モジュール１３４、番組表モジュール１３６、表示制御モジュール１３８はテレビアプリケーションプログラム８３により実現され、ＯＳ８２の制御の下で動作する。
【００４５】
図５は、インスタントテレビチューナ７６の構成の一例を示す。インスタントテレビチューナ７６はＢＳデジタル放送対応のＴＶチューナ１１０Ａと、１１０度ＣＳデジタル放送対応のＴＶチューナ１１０Ｃと、地上波デジタル放送対応のＴＶチューナ１１０Ｅを有する。
【００４６】
チューナ１１０で選局された放送信号は、復調・復号モジュール１１２に供給されてデジタルの映像信号及び音声信号等に復元された後、信号処理モジュール１１４に出力される。信号処理モジュール１１４は、復調・復号モジュール１１２から供給されたデジタルの映像信号及び音声信号に対してそれぞれ所定のデジタル信号処理を施す。
【００４７】
信号処理モジュール１１４は、デジタルの映像信号を合成処理モジュール１１８に出力し、デジタルの音声信号を音声処理モジュール１１６に出力している。合成処理モジュール１１８は、信号処理モジュール１１４から供給されるデジタルの映像信号に、ＯＳＤ（on screen display）信号を重畳して映像処理モジュール１２０に出力している。
【００４８】
映像処理モジュール１２０は、入力されたデジタルの映像信号を、後段の表示部（ＬＣＤパネル２０）で表示可能なフォーマットであるＬＶＤＳ信号に変換している。映像処理モジュール１２０では、超解像処理や動画改善処理を含めて様々な画質処理が行われる。映像処理モジュール１２０から出力されたＬＶＤＳ映像信号が、ＬＣＤパネル２０に供給されて映像表示に供される。
【００４９】
音声処理モジュール１１６は、入力されたデジタルの音声信号を、後段のスピーカ８４Ａ、８４Ｂで再生可能なフォーマットの音声信号に変換している。音声処理モジュール１１６から出力された音声信号が、スピーカ８４Ａ、８４Ｂ、あるいはヘッドフォン８６に供給されて音声再生に供される。
【００５０】
テレビジョンチューナ７６は、上記した各種の受信動作や選局動作を含む全ての動作が制御モジュール１２２によって統括的に制御されている。制御モジュール１２２は、ＣＰＵ（central processing unit）１２４を内蔵しており、ディスプレイ本体１０に設置された操作ボタンからの操作信号を受けて、または、リモートコントローラ１４から送出され受光ユニット２３で受信した操作信号を受けて、その操作内容が反映されるように各コンポーネントをそれぞれ制御している。
【００５１】
制御モジュール１２２は各コンポーネントを制御する際にメモリを利用している。メモリは、主として、ＣＰＵ１２４が実行するＯＳ、及び制御プログラムを格納したＲＯＭ（read only memory）１２６と、ＣＰＵ１２４に作業エリアを提供するためのＲＡＭ（random access memory）１２８と、各種の設定情報及び制御情報等が格納されるフラッシュメモリ１３０を含む。フラッシュメモリ１３０には、例えば番組情報・登録された録画予約情報・各種メニューを表示するためのデータも記録される。インスタントテレビチューナ７６もＣＰＵ１２４を含むので、ＯＳ（ファームウェア）で動作するが、インスタントテレビチューナ７６は構成するモジュールの数がＰＣと比べて少ないので、ＰＣのＯＳ８２とは異なり、インスタントテレビチューナ７６のＯＳ（ファームウェア）は短時間で起動する。なお、インスタントテレビチューナ７６はＰＣのＯＳ８２の制御の下で動作するものではないので、その制御モジュール１２２は、テレビチューナ７４の制御モジュールとは異なり、録画制御モジュール１３２、検出モジュール１３４、番組表モジュール１３６、表示制御モジュール１３８を備えていない。
【００５２】
インスタントテレビチューナ７６とＥＣ／ＫＢＣ７８との間はＵＡＲＴ（Universal Asynchronous Receiver Transmitter）方式に従いパラレル信号が伝送され、インスタントテレビチューナ７６からはシリアル信号のＬＤＶＳ信号がＬＣＤパネル２０に供給される。
【００５３】
次に、この電子機器の動作を説明する。本実施形態は、上述したように、ＴＶ電源ボタン３４を押す前にインスタントテレビチューナ７６を起動することにより、起動時間を短縮することができるが、待機電力の増加に繋がるので、この起動時間の短縮（クイックスタート）を実施するか否かはユーザにより選択可能としている。一例として、メニューからクイックスタートを動作する／しないを選択する場合を、図６に示す。
【００５４】
メニューは、番組説明、タイマー機能、画面サイズ切換、映像設定、音声設定、その他の設定、設定の項目を含む。「設定」が選択されると、お知らせ、機能設定、ＣＥＣ設定、初期設定の項目が表示される。「機能設定」が選択されると、省エネ設定、視聴制限設定、外部入力設定、ソフトウェアのダウンロードの項目が表示される。「省エネ設定」が選択されると、消費電力、番組情報取得設定、無操作自動電源オフ、オンエアー無信号オフ、外部入力無信号オフ、クイックスタートの項目が表示される。「クイックスタート」が選択されると、「動作する」、「動作しない」の項目が表示され、いずれかを選択可能である。
【００５５】
図７は本実施形態の動作の一例を示すフローチャートである。ブロックＢ１２で、ディスプレイ本体１０がＡＣアダプタ、電源コードを介して商用電源に接続されているか否か判定される。商用電源への接続が検出されると、ブロックＢ１４で、クイックスタートの設定を調べる。「動作する」に設定されている場合は、ＴＶ電源ボタンのオン／オフに関わらず、ブロックＢ１６で、ＲＯＭ１２６に格納されているＯＳを起動し、インスタントテレビチューナ７６の一部のモジュールを起動する。
【００５６】
ブロックＢ１６で起動するモジュールは少なくとも復調・復号モジュール１１２を含む。待機電力の制限が無い場合、あるいは上限以下であるならば、復調・復号モジュール１１２に加えて、信号処理モジュール１１４、音声処理モジュール１１６、合成処理モジュール１１８、映像処理モジュール１２０のいずれかも起動しても良い。これらの省電力調整のための設定も、ユーザがメニューから任意に選択可能としてもよい。図６のクイックスタートの「動作する」を選んだ後、復調・復号モジュール１１２以外の起動するモジュールを選択するサブメニューを表示する。モジュールを選択すると、そのモジュールの待機電力は既知であるので、起動可能か否か判定でき、可能なモジュールのみ起動される。
【００５７】
また、復調・復号モジュール１１２のみを起動しても、待機電力の上限を超えてしまう場合、あるいは上限以下であるが、さらに待機電力を減らしたい場合は、映像信号の解像度を落とす等の省電力対策を行っても良い。すなわち、電源オン直後は低解像度の映像が表示され、徐々に解像度が上がっていく。この設定も、ユーザがメニューから任意に選択可能としてもよい。
【００５８】
なお、ブロックＢ１６ではインスタントテレビチューナ７６は映像信号、音声信号をＬＣＤパネル２０、スピーカ１８Ａ、１８Ｂ等へ出力はしない。復号した信号はＲＡＭ１２８に書き込まれ、出力は一時停止状態とされる。なお、ＲＡＭ１２８の記憶エリアは数フレームの映像信号、音声信号を記憶する程度の容量であり、信号は順次上書きされる。
【００５９】
ブロックＢ１８で、リモートコントローラ１４のＴＶ電源ボタン３４が押された（ＴＶ電源がオンされた）か否か判定される。ＴＶ電源ボタン３４が押された場合、ブロックＢ２０で、インスタントテレビチューナ７６の映像・音声信号出力が開始される。なお、ブロックＢ１６でインスタントテレビチューナ７６の全てのモジュールを起動していない場合は、ブロックＢ２０で残りのモジュールを起動してから、映像・音声信号出力を開始する。ブロックＢ１６でインスタントテレビチューナ７６の一部のモジュールが起動されているので、ブロックＢ１８でＴＶ電源ボタン３４が押されてからＬＣＤパネル２０にＴＶ放送番組が表示されるまでの時間は、ＴＶ電源ボタン３４が押されてからＯＳを起動し、それからテレビチューナを起動する従来例に比べて大幅に短縮される。
【００６０】
ＴＶ視聴中に、ブロックＢ２２で他の操作が指示されたか否か判定される。他の操作は、例えば、番組表表示操作、録画操作、再生操作、ＰＣ電源ボタン操作等を含む。他の操作指示があった場合は、ブロックＢ２４で他の操作が実行され、その後、ブロックＢ２６で、リモートコントローラ１４のＴＶ電源ボタン３４が押された（ＴＶ電源がオフされた）か否か判定される。ブロックＢ２２で他の操作が指示されない場合もブロックＢ２６が実行される。
【００６１】
ＴＶ電源ボタン３４が押された場合、ブロックＢ２８で、インスタントテレビチューナ７６の動作を停止する。
【００６２】
ブロックＢ１４で、クイックスタートが「動作しない」に設定されていると判定した場合は、ブロックＢ３２で、リモートコントローラ１４のＴＶ電源ボタン３４が押された（ＴＶ電源がオンされた）か否か判定される。ＴＶ電源ボタン３４が押された場合、ブロックＢ３４でＯＳを起動してから、ブロックＢ３６でテレビチューナ７４及びテレビアプリケーションプログラム８３を起動する。この後、ブロックＢ３８でテレビチューナ７４の映像・音声信号出力を開始する。
【００６３】
ＴＶ視聴中に、ブロックＢ４０で他の操作が指示されたか否か判定される。他の操作は、例えば、番組表表示操作、録画操作、再生操作、ＰＣ電源ボタン操作等を含む。他の操作指示があった場合は、ブロックＢ４２で他の操作が実行され、その後、ブロックＢ４４で、リモートコントローラ１４のＴＶ電源ボタン３４が押された（ＴＶ電源がオフされた）か否か判定される。ブロックＢ４０で他の操作が指示されない場合もブロックＢ４４が実行される。
【００６４】
ＴＶ電源ボタン３４が押された場合、ブロックＢ４６で、テレビチューナ７４の動作を停止する。
【００６５】
以上説明したように、第１の実施形態によれば、ＰＣのシステムコントローラ５４に接続され、ＰＣのＯＳ８２の制御の下で動作するテレビチューナ７４とは別に、ＥＣ／ＫＢＣ７８に接続され、ＰＣのＯＳ８２とは無関係に独自のＯＳに基づき動作するインスタントテレビチューナ７６を設け、ＴＶ電源の投入の前にインスタントテレビチューナ７６の一部、少なくとも復調・復号モジュール１１２を起動している。このため、テレビ放送信号の復調・復号は行われている。ただし、復号した映像信号の表示は行われない。この状態で、ＴＶ電源ボタン３４の操作を待つ。ＴＶ電源ボタン３４が押されたことを検出すると、テレビ放送の映像信号をＬＣＤパネル２０に出力する。これにより、電源オンすると、瞬時にＬＣＤパネル２０の表示が開始される。インスタントテレビチューナ７６はテレビチューナ７４よりも機能が少ないので、ＴＶ電源の投入の前から動作させても、待機電力はテレビチューナ７４より少なくて済む。
【００６６】
しかも、ＴＶ電源投入の前にインスタントテレビチューナ７６を起動するか否かをユーザが選択できるので、ユーザのニーズに合った起動の迅速化または省電力化を実現することができる。
【００６７】
なお、ＰＣ電源が先に投入され、ＰＣ機能（ＰＣアプリケーション）が動作中に、ＴＶ電源ボタン３４が押された場合も、図７で説明したフローチャートのようにテレビチューナ７４ではなくインスタントテレビチューナ７６を起動してもよいが、ＯＳが起動しているので、テレビチューナ７６及びテレビアプリケーションプログラム８３を起動してもそれ程時間が係らないので、インスタントテレビチューナ７６ではなく、テレビチューナ７６及びテレビアプリケーションプログラム８３を起動しても良い。この設定も、ユーザがメニューから任意に選択可能としてもよい。
【００６８】
以下、他の実施形態を説明する。
【００６９】
第１の実施形態では、ディスプレイ本体１０を備える電子機器を説明したが、表示部は電子機器の外部にあっても良い。すなわち、電子機器はＬＣＤパネルを備えず、映像信号出力端子を備えるだけでも良い。そして、商用電源に接続されると、映像信号を出力可能な状態にしておき（実際には出力しないで）、ＴＶ電源オンを検出すると、映像信号を出力し、ＬＣＤパネルに表示しても良い。
【００７０】
第１の実施形態では、商用電源に接続されると、映像信号を出力可能な状態にしておくが、実際には出力しないが、これに限らず、映像信号を出力するが、ＬＣＤパネルの表示をオフしておいても良い。
【００７１】
第１の実施形態では、インスタントテレビチューナ７６には録画機能、ＥＰＧ機能を備えていないと説明したが、これらを備えてもよい。すなわち、テレビチューナ７４とインスタントテレビチューナ７６が同じ機能を備えていてもよい。
【００７２】
第１の実施形態では、ディスプレイ本体１０がＡＣアダプタ、電源コードを介して商用電源に接続されている時は常にインスタントテレビチューナ７６を起動しているが、リモートコントローラ１４にクイックスタートオン／オフボタンを設けて、ユーザがリモートコントローラ１４を操作することで、インスタントテレビチューナ７６をオン／オフできるようにしても良い。例えば、就寝中や外出中はインスタントテレビチューナ７６をオフすることにより、無駄な待機電力を消費しないようにすることができる。また、タイマーを利用することにより、就寝中や外出中であることが予想される時間帯はインスタントテレビチューナ７６を自動的にオフし、それ以外は自動的にオンすることができる。
【００７３】
第１の実施形態では、ディスプレイ本体１０がＡＣアダプタ、電源コードを介して商用電源に接続されている時は常にインスタントテレビチューナ７６の少なくとも復調・復号モジュール１１２を起動しているが、ＯＳだけを起動して、復調・復号モジュール１１２を含むモジュールはＴＶ電源ボタン３４が押されてから起動しても良い。
【００７４】
第１の実施形態では、テレビチューナ７４以外にインスタントテレビチューナ７６を設けているが、インスタントテレビチューナ７６を設けずに、テレビチューナ７４のみでも良い。例えば、ディスプレイ本体１０がＡＣアダプタ、電源コードを介して商用電源に接続されている時は常にＯＳ８２は起動しておいて、ＴＶ電源ボタン３４がオンされたら、テレビアプリケーションプログラム８３を起動しても、起動時間を短縮することができる。
【００７５】
第１の実施形態は、一体型のデスクトップ型ＰＣを説明したが、これに限らず、ＯＳで動作する映像モジュールを有する電子機器ならば、何にでも適用可能である。
【００７６】
本実施形態の処理はコンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【００７７】
本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７８】
１０…ディスプレイ本体、１２…キーボード、１４…リモートコントローラ、２０…ＬＣＤパネル、２２，２８…電源ボタン、３２…ＰＣ電源ボタン、３４…ＴＶ電源ボタン、５２…ＣＰＵ、５４…システムコントローラ、５６…メインメモリ、６２…ＢＩＯＳ−ＲＯＭ、７０…ブルートゥース制御回路、７４…テレビジョンチューナ、７６…インスタントテレビジョンチューナ、７８…ＥＣ／ＫＢＣ、８２…ＯＳ、８３…テレビアプリケーションプログラム。
【図１】
2014216785.tif 000003
【図２】
2014216785.tif 000004
【図３】
2014216785.tif 000005
【図４】
2014216785.tif 000006
【図５】
2014216785.tif 000007
【図６】
2014216785.tif 000008
【図７】
2014216785.tif 000009